(57)【要約】【課題】簡単な操作で室温を快適に保つ空気調和機を提供する。【解決手段】空気調和機は、設定温度を指定することなく室温の上昇または低下を要求する指示情報を受信し、センサが検出した前記室温を取得し、最初に前記指示情報を取得したときの前記室温と、当該指示情報と、温度範囲ごとに設定された空調制御情報と、に基づいて空調制御を開始する。【選択図】図２
2020134022.tif 000002
【特許請求の範囲】
【請求項１】
設定温度を指定することなく室温の上昇または低下を要求する指示情報を送信するリモコンと、
前記リモコンが送信した指示情報に基づいて、前記室温の制御を行う制御装置と、
を備え、
前記制御装置は、
前記指示情報を取得する取得部と、
センサが検出した前記室温を取得するセンサ情報取得部と、
最初に前記指示情報を取得したときの前記室温と、当該指示情報と、温度範囲ごとに設定された空調制御情報と、に基づいて空調制御を開始する制御部と、
を備える空気調和機。
【請求項２】
前記空調制御情報には、冷房時の空調制御について、所定の第１温度までは冷房を行い、前記室温が前記第１温度に至った後は、除湿のみを行うことが設定されている、
請求項１に記載の空気調和機。
【請求項３】
前記空調制御情報には、前記温度範囲が低下することに対応して相対的に低い設定温度が設定され、前記温度範囲が所定の第２温度以下となると、設定温度の下げ幅が相対的に小さく設定される、
請求項２に記載の空気調和機。
【請求項４】
前記空調制御情報には、暖房時の空調制御について、所定の第３温度までは暖房を行い、前記室温が前記第３温度に至った後は、加湿のみを行うことが設定されている、
請求項１から請求項３の何れか１項に記載の空気調和機。
【請求項５】
前記空調制御情報には、前記温度範囲が上昇することに対応して相対的に高い設定温度が設定され、前記温度範囲が所定の第４温度以上となると、設定温度の上げ幅が相対的に小さく設定される、
請求項４に記載の空気調和機。
【請求項６】
前記制御部は、最初に前記指示情報を取得した後に、追加の前記指示情報を取得した場合、追加の前記指示情報が前記室温の低下を要求するものである場合、現在実行している空調制御に対応する前記温度範囲より１つ下の前記温度範囲に対応する前記空調制御情報に基づいて空調制御を行い、
追加の前記指示情報が前記室温の上昇を要求するものである場合、現在実行している空調制御に対応する前記温度範囲より１つ上の前記温度範囲に対応する前記空調制御情報に基づいて空調制御を行う、
請求項１から請求項５の何れか１項に記載の空気調和機。
【請求項７】
請求項４に記載の空気調和機と、加湿器と、を含み、
前記制御部が、前記加湿器へ前記空調制御情報に基づく運転指令を行う、
空調システム。
【請求項８】
空気調和機の制御方法であって、
設定温度を指定することなく室温の上昇または低下を要求する指示情報を受信するステップと、
センサが検出した前記室温を取得するステップと、
最初に前記指示情報を取得したときの前記室温と、当該指示情報と、温度範囲ごとに設定された空調制御情報と、に基づいて空調制御を開始するステップと、
を有する制御方法。
【請求項９】
空気調和機が備えるコンピュータを、
設定温度を指定することなく室温の上昇または低下を要求する指示情報を受信する手段、
センサが検出した前記室温を取得する手段、
最初に前記指示情報を取得したときの前記室温と、当該指示情報と、温度範囲ごとに設定された空調制御情報と、に基づいて空調制御を開始する手段、
として機能させるためのプログラム。
【発明の詳細な説明】
【技術分野】
【０００１】
本発明は、空気調和機、空調システム、制御方法及びプログラムに関する。
【背景技術】
【０００２】
冷房や暖房を利用する場合、ユーザは、リモコン等を操作して設定温度を設定する。特許文献１には、設定温度に加え、ユーザが暑いと感じているときに操作する「暑いボタン」と、ユーザが寒いと感じているときに操作する「寒いボタン」と、ユーザが快適に感じているときに操作する「いいねボタン」を備えたリモコンが開示されている。
【先行技術文献】
【特許文献】
【０００３】
【特許文献１】特開２０１７−１８０９４４号公報
【発明の概要】
【発明が解決しようとする課題】
【０００４】
ユーザの中には、リモコンの操作が不得手なユーザや、設定温度を何度にすればよいかが分からないユーザが存在する。そのようなユーザでも簡単に室内の温度を快適に保つことができる空気調和機が求められている。
【０００５】
そこでこの発明は、上述の課題を解決することのできる空気調和機、空調システム、制御方法及びプログラムを提供することを目的としている。
【課題を解決するための手段】
【０００６】
本発明の一態様によれば、空気調和機は、設定温度を指定することなく室温の上昇または低下を要求する指示情報を送信するリモコンと、前記リモコンが送信した指示情報に基づいて、前記室温の制御を行う制御装置と、を備え、前記制御装置は、前記指示情報を取得する取得部と、センサが検出した前記室温を取得するセンサ情報取得部と、最初に前記指示情報を取得したときの前記室温と、当該指示情報と、温度範囲ごとに設定された空調制御情報と、に基づいて空調制御を開始する制御部と、を備える。
【０００７】
本発明の一態様によれば、前記空調制御情報には、冷房時の空調制御について、所定の第１温度までは冷房を行い、前記室温が前記第１温度に至った後は、除湿のみを行うことが設定されている。
【０００８】
本発明の一態様によれば、前記空調制御情報には、前記温度範囲が低下することに対応して相対的に低い設定温度が設定され、前記温度範囲が所定の第２温度以下となると、設定温度の下げ幅が相対的に小さく設定される。
【０００９】
本発明の一態様によれば、前記空調制御情報には、暖房時の空調制御について、所定の第３温度までは暖房を行い、前記室温が前記第３温度に至った後は、加湿のみを行うことが設定されている。
【００１０】
本発明の一態様によれば、前記空調制御情報には、前記温度範囲が上昇することに対応して相対的に高い設定温度が設定され、前記温度範囲が所定の第４温度以上となると、設定温度の上げ幅が相対的に小さく設定される。
【００１１】
本発明の一態様によれば、前記制御部は、最初に前記指示情報を取得した後に、追加の前記指示情報を取得した場合、追加の前記指示情報が前記室温の低下を要求するものである場合、現在実行している空調制御に対応する前記温度範囲より１つ下の前記温度範囲に対応する前記空調制御情報に基づいて空調制御を行い、追加の前記指示情報が前記室温の上昇を要求するものである場合、現在実行している空調制御に対応する前記温度範囲より１つ上の前記温度範囲に対応する前記空調制御情報に基づいて空調制御を行う。
【００１２】
本発明の一態様によれば、空調システムは、上記の空気調和機と、加湿器と、を含み、前記制御部が、前記加湿器へ前記空調制御情報に基づく運転指令を行う。
【００１３】
本発明の一態様によれば、制御方法は、空気調和機の制御方法であって、設定温度を指定することなく室温の上昇または低下を要求する指示情報を受信するステップと、センサが検出した前記室温を取得するステップと、最初に前記指示情報を取得したときの前記室温と、当該指示情報と、温度範囲ごとに設定された空調制御情報と、に基づいて空調制御を開始するステップと、を有する。
【００１４】
本発明の一態様によれば、プログラムは、空気調和機が備えるコンピュータを、設定温度を指定することなく室温の上昇または低下を要求する指示情報を受信する手段、センサが検出した前記室温を取得する手段、最初に前記指示情報を取得したときの前記室温と、当該指示情報と、温度範囲ごとに設定された空調制御情報と、に基づいて空調制御を開始する手段、として機能させる。
【発明の効果】
【００１５】
本発明によれば、簡単な操作で室温を快適な温度に保つことができる。
【図面の簡単な説明】
【００１６】
【図１】本発明の一実施形態における空調システムの一例を示す図である。
【図２】本発明の一実施形態における空調システムの制御装置に関する機能ブロック図である。
【図３】本発明の一実施形態における空調制御情報の一例を示す図である。
【図４】本発明の一実施形態における空調制御の一例を示すフローチャートである。
【図５】本発明の一実施形態における空調システムのハードウェア構成の一例を示す図である。
【発明を実施するための形態】
【００１７】
以下、本発明の一実施形態における空調システムによる空調制御について図１〜図５を参照して説明する。
図１は、本発明の一実施形態における空調システムの一例を示す図である。
空調システム１００は、空気調和機１と加湿器５とを含む。空気調和機１は、室内機２と、室外機３と、リモコン４とを備える。室内機２は制御装置２０を備える。加湿器５は制御装置５０を備える。制御装置２０と制御装置５０は通信可能に接続されている。加湿器５は、制御装置２０から制御情報を受信し、空気調和機１と連携して運転することができる。
【００１８】
リモコン４は、空気調和機１の起動と停止を切り替えるための起動停止ボタン４１ａと、室温を上昇させることを要求する上昇ボタン４１ｂと、室温を低下させることを要求する低下ボタン４１ｃと、を備える。例えば、リモコン４は、インタフェースとして、ボタン４１ａ〜４２ｃのみを備えていてもよい。あるいは、リモコン４は、現在の室温を表示する表示部など他の構成を備えていてもよいが、ユーザ所望の温度（設定温度）を指定する機能を有していない。例えば、ユーザは、寒いと感じれば、起動停止ボタン４１ａを押下したうえで、上昇ボタン４１ｂを押下する。また、暑いと感じた場合、ユーザは、低下ボタン４１ｃを押下する。その際、ユーザは室温の設定を行わない。
【００１９】
図２は、本発明の一実施形態における空調システムの制御装置に関する機能ブロック図である。
リモコン４は、入力部４１と、入力受付部４２と、制御部４３と、通信部４４とを備える。
入力部４１は、図１に例示したボタン４１ａ〜４２ｃなどの操作用ボタンである。
入力受付部４２は、入力部４１に対して行われた操作を受け付ける。例えば、起動停止ボタン４１ａが押下されたときには、起動停止ボタン４１ａの押下を認識し、その旨を制御部４３へ通知する。
制御部４３は、室内機２への制御情報の送信制御を行う。例えば、上昇ボタン４１ｂが押下された場合、制御部４３は、室温の上昇を要求する指示情報を生成し、指示情報の送信を通信部４４へ指示する。また、低下ボタン４１ｃが押下された場合、制御部４３は、室温の低下を要求する指示情報を生成し、指示情報の送信を通信部４４へ指示する。
通信部４４は、制御部４３の指示に基づいて、指示情報を室内機２へ送信する。指示情報とは、例えば、起動、停止、室温の上昇、低下を指示する信号である。
ユーザがリモコン４のボタン４１ａ〜４２ｃを押下すると、リモコン４から室内機２へ、指示情報が送信され、室内機２と室外機３は連携して空調制御を行う。
【００２０】
室内機２の制御装置２０は、センサ情報取得部２１と、制御部２２と、記憶部２３と、通信部２４と、を備える。
センサ情報取得部２１は、室内機２や室外機３に設けられた各種センサが検出した検出値を取得する。例えば、センサ情報取得部２１は、室内機２の吸込口に設けられた温度センサ２０１が検出した温度（室温）や、室内機２の吸込口に設けられた湿度センサ２０２が検出した湿度の検出値を取得する。
制御部２２は、センサ情報取得部２１が取得した温度と、リモコン４から送信された指示情報と、後述する空調制御情報と、に基づいて空調制御を行う。また、制御部２２は、加湿器５へ指示する制御情報を生成する。
記憶部２３は、センサ情報取得部２１が取得した温度や後述する空調制御情報などを記憶する。
通信部２４は、リモコン４から指示情報を受信する。通信部２４は、加湿器５へ制御情報を送信する。
【００２１】
加湿器５の制御装置５０は、制御部５１と、通信部５２と、を備える。
通信部５２は、制御装置２０から制御情報を受信する。
制御部５１は、通信部５２が受信した制御情報に基づいて、加湿器５を運転する。
制御装置２０、５０はこの他にも種々の機能を備えるが、本実施形態に関係のない機能についての説明を省略する。
【００２２】
図３は、本発明の一実施形態における空調制御情報の一例を示す図である。
上記の通り、リモコン４は、室内機２に対して、設定温度に基づく制御を要求しない。そこで室内機は、最初に上昇ボタン４１ｂ、低下ボタン４１ｃが押下されたときの室温に応じて、室温が快適な温度となるよう空調制御を行う。これにより、ユーザは、簡単な操作で室温を快適に保つことができる。
【００２３】
例えば、最初に低下ボタン４１ｃが押下された場合、そのときの室温が高ければ、室内機２の制御部２２は、室温を所定の温度（例えば、２８℃）まで低下させることを優先する空調制御を行う。また、そのときの室温がそれほど高くない場合（例えば、２６℃）、制御部２２は、除湿を中心とする制御を行う。
【００２４】
また、例えば、最初に上昇ボタン４１ｂが押下された場合、そのときの室温が低ければ、制御部２２は、室温を所定の温度（例えば、２０℃）まで上昇させることを優先する空調制御を行う。また、そのときの室温がある程度以上（例えば、２２℃）の場合、制御部２２は、加湿器５を起動して、加湿を中心とする制御を行う。
【００２５】
図３に例示する空調制御情報は、温度範囲ごとに制御部２２が実行する空調制御を定めたものである。この空調制御情報は、例えば、メーカ等の知見に基づいた、多くの人にとって快適と感じられる空調環境を実現するための効果的な制御内容となっている。
「操作」の欄には、上昇ボタン４１ｂ、低下ボタン４１ｃの区別が設定されている。
「開始温度」の欄には、室温について定めた温度範囲が設定されている。
「制御内容」の欄には、上昇ボタン４１ｂ、低下ボタン４１ｃが押下されたときの室温に応じた空調制御の内容が設定されている。
空調制御情報は、記憶部２３に登録されている。
【００２６】
（低下ボタン４１ｃについての制御内容）
１行目の設定は、室温が２８℃より高温の場合、低下ボタン４１ｃが押下されると、設定温度を２８℃とする冷房運転を行うこと、その際、送風を強くすることを定めている。図示しないが、制御内容には、送風を行う時間や送風の強さなどさらに詳細な情報が含まれていてもよい。
２行目の設定は、室温が２７〜２８℃の場合、設定温度２７℃で冷房運転すること等を定めている。
３行目、４行目の設定は、開始時の室温がそれほど高温ではない場合、例えば、２７℃以下の場合、設定温度を１℃刻みではなく０．５℃刻みで低下させ冷房運転すること、除湿運転を行うことを定めた設定となっている。
そして、５行目の設定では、開始時の室温が２６℃以下の場合、冷房運転を行わず、除湿のみで空調制御を行うことを示している。
【００２７】
なお、「開始温度」欄の温度範囲は、運転開始時に参照される。具体的には、ユーザが、今回の運転で上昇ボタン４１ｂまたは低下ボタン４１ｃを最初に押下したときに、そのボタンが低下ボタン４１ｃであって、そのときの室温が２８℃より高温の場合、制御部２２が１行目の制御内容（設定温度を２８℃とする冷房運転など）を実行する。
【００２８】
（低下ボタン４１ｃが連続して押下された場合）
また、制御部２２が、上記設定に従って空調制御を行っても、ユーザが満足せず、さらに１回、低下ボタン４１ｃを押下する場合がある。このような場合、制御部２２は、最初に指示情報を受信したときの室温に対応する温度範囲より１つ下の温度範囲に対応する空調制御を行う。
【００２９】
例えば、最初に低下ボタン４１ｃが押下されたときの室温が３０℃の場合、制御部２２は、まず、図３の表の１行目（室温＞２８℃）の制御内容を実行し、さらにもう１回低下ボタン４１ｃが押下されると、そのときの室温に関係なく、２行目（２８℃≧室温＞２７℃）の制御内容を実行する。そして、さらに１回低下ボタン４１ｃが押下されると、制御部２２は、３行目（２７℃≧室温＞２６．５℃）の制御内容を実行する。以降も同様である。
【００３０】
（低下ボタン４１ｃの後、上昇ボタン４１ｂが押下された場合）
また、制御部２２が、上記設定に従って空調制御を行うと、ユーザが、寒いと感じることがある。このような場合、ユーザは、上昇ボタン４１ｂを押下する可能性がある。上昇ボタン４１ｂが押下されると、制御部２２は、現在行っている制御内容に対応する温度範囲より１つ上の温度範囲に対応する空調制御を行う。
【００３１】
例えば、現在、制御部２２が、図３の表の３行目（２７℃≧室温＞２６．５℃）の制御内容を実行しているとする。その状態で、上昇ボタン４１ｂが押下されると、制御部２２は、１つ上の温度範囲、２８℃≧室温＞２７℃（２行目）の制御内容を実行する。
【００３２】
なお、１つ上の温度範囲（２８℃≧室温＞２７℃）に対応する空調制御を実行した結果、再び、低下ボタン４１ｃが押下された場合、１つ下の温度範囲に対応する空調制御を実行してもよいが、ユーザの快適な空調制御が、温度範囲（２８℃≧室温＞２７℃）に対応する空調制御と、温度範囲（２７℃≧室温＞２６．５℃）に対応する空調制御の中間にある可能性があるので、設定温度を中間（２６．７℃か２６．８℃）の温度に設定して、冷房を継続してもよい。
【００３３】
運転の最初に上昇ボタン４１ｂが押下された場合についても同様である。以下、簡単に説明する。
（上昇ボタン４１ｂについての制御内容）
最初の指示信号を取得したときの室温が２０℃より低い場合（６行目）、制御部２２は、設定温度を２０℃に設定して暖房を行う。また、加湿器５へ運転開始を指示する。加湿器５の運転については、他の温度範囲でも設定されている。また、加湿器５について、制御内容には、湿度の設定値が定められていてもよい。湿度の設定値は、室温の上昇とともに高くなるように設定されていてもよい。また、暖房の場合にも送風を行うよう定められていてもよい。
室温が２０〜２１℃の場合（７行目）、制御部２２は、設定温度を２１℃に設定して暖房を行う。室温が２１〜２１．５℃の場合（８行目）、ある程度、室温が高いため、制御部２２は、設定温度を２１．５℃に設定して暖房を行う。室温が２１．５〜２２℃の場合（９行目）、制御部２２は、設定温度を２２℃に設定して暖房を行う。
室温が２２℃を超えると（１０行目）、制御部２２は、暖房運転を停止し、加湿器５による加湿のみを行う。
【００３４】
（上昇ボタン４１ｂが連続して押下された場合）
また、制御部２２が、上記設定に従って空調制御を行っても、ユーザが満足せず、さらに１回、上昇ボタン４１ｂを押下する場合がある。このような場合、制御部２２は、現在実行中の制御内容に対応する温度範囲より１つ上の温度範囲に対応する空調制御を行う。
【００３５】
例えば、最初に上昇ボタン４１ｂが押下されたときの室温が１７℃の場合、制御部２２は、６行目（室温＜２０℃）の制御内容を実行し、さらにもう１回上昇ボタン４１ｂが押下されると、そのときの室温に関係なく、７行目（２０℃≦室温＜２１℃）の制御内容を実行する。以降も同様である。
【００３６】
（上昇ボタン４１ｂの後、低下ボタン４１ｃが押下された場合）
制御部２２が、上記設定に従って空調制御を行うと、ユーザは、暑いと感じることがある。このような場合、ユーザは、低下ボタン４１ｃを押下する可能性がある。低下ボタン４１ｃが押下されると、制御部２２は、現在行っている制御内容に対応する温度範囲より１つ下の温度範囲に対応する空調制御を行う。
例えば、現在、制御部２２が、図３の表の８行目（２１℃≦室温＜２１．５℃）の制御内容を実行しているとする。その状態で、低下ボタン４１ｃが押下されると、制御部２２は、７行目（２０℃≦室温＜２１℃）の制御内容を実行する。
【００３７】
１つ下の温度範囲（２０℃≦室温＜２１℃）に対応する空調制御を実行した結果、再び、上昇ボタン４１ｂが押下された場合、１つ上の温度範囲（８行目）に対応する空調制御を実行してもよいが、ユーザの快適な空調制御が、温度範囲（２０℃≦室温＜２１℃）に対応する空調制御と、温度範囲（２１℃≦室温＜２１．５℃）に対応する空調制御の中間にある可能性があるので、設定温度を中間（２１．２℃か２１．３℃）の温度に設定して、暖房を継続してもよい。
【００３８】
次に図４を用いて、上記した空調制御の処理の流れを説明する。
図４は、本発明の一実施形態における空調制御の一例を示すフローチャートである。
前提として、ユーザの起動停止ボタン４１ａの押下により、空気調和機１が起動して、リモコン４からの指示情報を受け付けられる状態である。また、室内機２では、センサ情報取得部２１が、室内機２の吸込口に設けられた温度センサ２０１、湿度センサ２０２から所定の時間間隔で温度、湿度の検出値を取得し、記憶部２３に保存する処理を継続的に行っている。
【００３９】
まず、ユーザが、暑いと感じていれば低下ボタン４１ｃを押下し、寒いと感じていれば上昇ボタン４１ｂを押下する。入力受付部４２は、この操作を受け付ける。入力受付部４２は、押下されたボタンの情報を制御部４３へ出力する。制御部４３は、上昇ボタン４１ｂが押下された場合は、室温の上昇を要求する室温上昇指示情報を生成する。低下ボタン４１ｃが押下された場合、制御部４３は、室温の低下を要求する室温低下指示情報を生成する。制御部４３は、生成した指示情報の送信を、通信部４４に指示する。通信部４４は、指示情報を室内機２へ送信する。室内機２では、通信部２４が、指示情報を受信する。通信部２４は、受信した指示情報を制御部２２へ出力する。制御部２２は、最初の指示情報を取得する（ステップＳ１１）。以下、リモコン４の操作に基づく室内機２への指示情報の送信処理については簡単に記載する。
【００４０】
制御部２２は、指示情報を取得すると、センサ情報取得部２１が取得した最新の温度と湿度の検出値を、記憶部２３から取得する（ステップＳ１２）。次に制御部２２は、記憶部２３の空調制御情報（図３）を参照して、指示情報と温度に応じた制御内容を取得する（ステップＳ１３）。例えば、室温低下指示情報を取得し、取得した温度が２６．５℃の場合、制御部２２は、設定温度２６℃で冷房、送風、除湿を行うことを定めた情報を取得する。また、例えば、室温上昇指示情報を取得し、取得した温度が１５℃の場合、制御部２２は、設定温度２０℃で暖房、加湿を行うことを定めた情報を取得する。
【００４１】
制御部２２は、取得した制御内容に基づいて、空気調和機１の運転制御を開始する（ステップＳ１４）。冷房の場合、制御部２２は、所定時間だけ送風を強めに行ってもよい。また、暖房の場合にも制御部２２は、送風を行ってもよい。また、暖房の場合、制御部２２は、加湿器５への運転開始指示を含む制御情報を生成して、通信部２４に送信を指示する。通信部２４は制御情報を送信する。加湿器５では、通信部５２が制御情報を受信し、制御情報を制御部５１へ出力する。制御部５１は、制御情報に含まれる運転開始指示に基づいて、加湿運転を開始する。なお、制御情報には、湿度センサ２０２が検出した湿度や空調制御情報で定められた設定温度に基づく目標とする湿度の設定が含まれていてもよい。
【００４２】
制御部２２は、リモコン４から取得した指示情報に基づいて空調制御を行いながら、リモコン４からの指示情報の送信を待機する（ステップＳ１５）。追加の指示情報を取得した場合（ステップＳ１５；Ｙｅｓ）、制御部２２は、指示情報が前回と同じ指示かどうかを判定する。例えば、前回も今回も室温低下指示情報を取得した場合、制御部２２は、前回と同じ指示と判定する。前回は室温低下指示情報を取得し、今回は室温上昇指示情報を取得したような場合、制御部２２は、前回と同じ指示ではない判定する。
【００４３】
前回と同じ指示の場合（ステップＳ１６；Ｙｅｓ）、制御部２２は、図３に例示する空調制御情報を参照して次の段階の制御内容を取得する（ステップＳ１７）。例えば、２回連続して、室温低下指示情報を取得した場合、次の段階の制御内容とは、さらに室温を低下させる方向の制御内容であって、現在実行している制御内容に対応する温度範囲よりも１つ下の温度範囲に対応する制御内容のことである。室温上昇指示情報を連続して取得した場合、次の段階の制御内容とは、現在実行している制御内容に対応する温度範囲よりも１つ上の温度範囲に対応する制御内容のことである。
制御部２２は、取得した制御内容に基づく空調制御を開始する（ステップＳ１９）。空調制御を停止するまで、ステップＳ１５以降の処理を繰り返す。
【００４４】
前回と同じ指示ではない場合（ステップＳ１６；Ｎｏ）、制御部２２は、空調制御情報を参照して前段階の制御内容を取得する（ステップＳ１８）。例えば、前回、室温低下指示情報を取得し、今回、室温上昇指示情報を取得した場合、前段階の制御内容とは、現在実行している制御内容に対応する温度範囲よりも１つ上の温度範囲に対応する制御内容のことである。換言すれば、前回、室温低下指示情報を取得する前に実行していた制御内容のことである。同様に、前回、室温上昇指示情報を取得し、今回、室温低下指示情報を取得した場合、前段階の制御内容とは、現在実行している制御内容に対応する温度範囲よりも１つ下の温度範囲に対応する制御内容のことである。
制御部２２は、取得した制御内容に基づく空調制御を開始する（ステップＳ１９）。空調制御を停止するまで、ステップＳ１５以降の処理を繰り返す。
【００４５】
なお、ステップＳ１４で冷房を開始した場合であって、空調制御情報に設定された最も低い温度範囲（室温≦２６℃）に対応する制御内容を現在行っているときに、室温低下指示情報を取得した場合、現在の実行中の制御内容（除湿のみ）を再度取得して同様の運転を継続しつつ、例えば、送風を強めに行ってもよい。あるいは、現在の室温より、例えば、０．５℃低下させた温度を新たに設定温度として定めて、冷房運転を再開してもよい。
【００４６】
同様にステップＳ１４で暖房を開始した場合であって、空調制御情報に設定された最も高い温度範囲（室温≧２２℃）に対応する制御内容を現在行っているときに、室温上昇指示情報を取得した場合、加湿に加え送風を行ったり、現在の室温より、例えば、０．５℃上昇させた温度を新たに設定温度として定めて、暖房運転を再開したりしてもよい。
【００４７】
ステップＳ１４で冷房を開始した場合であって、空調制御情報に設定された最も高い温度範囲（室温＞２８℃）に対応する制御内容を現在行っているときに、室温上昇指示情報を取得した場合、制御部２２は、制御内容が示す制御（冷房及び送風強）を停止してもよい。
【００４８】
ステップＳ１４で暖房を開始した場合であって、空調制御情報に設定された最も低い温度範囲（室温＜２０℃）に対応する制御内容を現在行っているときに、室温低下指示情報を取得した場合、制御部２２は、制御内容が示す制御（設定温度２０℃で暖房と加湿）を停止してもよい。
【００４９】
なお、本フローチャートの処理の実行中に、制御部２２が、起動停止ボタン４１ａの押下による停止指示情報を取得した場合、制御部２２は、空調制御を停止する。
【００５０】
本実施形態によれば、ユーザは、自分自身の寒い、暑いという感覚に応じて上昇ボタン４１ｂまたは低下ボタン４１ｃを押下するだけで、空調システム１００が、その時の室温と最適化された空調制御情報に基づく効果的な空調制御を実行する。従って、高齢者やリモコンの操作が苦手なユーザでも無理なく快適な空調環境を得ることができる。また、ユーザは、設定温度を設定する手間や、設定温度を何℃に設定すれば快適になるのかを考えることから解放される。
【００５１】
図５は、本発明の一実施形態における空調システムのハードウェア構成の一例を示す図である。
コンピュータ９００は、ＣＰＵ９０１、主記憶装置９０２、補助記憶装置９０３、入出力インタフェース９０４、通信インタフェース９０５を備える。コンピュータ９００は、ＣＰＵ９０１に代えて、ＭＰＵ（Micro Processing Unit）などのプロセッサを備えていてもよい。
上述のリモコン４、制御装置２０、５０は、コンピュータ９００に実装される。そして、上述した各機能は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って、記憶領域を主記憶装置９０２に確保する。また、ＣＰＵ９０１は、プログラムに従って、処理中のデータを記憶する記憶領域を補助記憶装置９０３に確保する。
【００５２】
なお、リモコン４、制御装置２０、５０の全部または一部の機能を実現するためのプログラムをコンピュータ読み取り可能な記録媒体に記録して、この記録媒体に記録されたプログラムをコンピュータシステムに読み込ませ、実行することにより各機能部による処理を行ってもよい。ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、ＣＤ、ＤＶＤ、ＵＳＢ等の可搬媒体、コンピュータシステムに内蔵されるハードディスク等の記憶装置のことをいう。また、このプログラムが通信回線によってコンピュータ９００に配信される場合、配信を受けたコンピュータ９００が当該プログラムを主記憶装置９０２に展開し、上記処理を実行しても良い。また、上記プログラムは、前述した機能の一部を実現するためのものであっても良く、さらに前述した機能をコンピュータシステムにすでに記録されているプログラムとの組み合わせで実現できるものであってもよい。
【００５３】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。例えば、空調システム１００が加湿器５を備えない場合、暖房時、加湿を省略することができる。
【符号の説明】
【００５４】
１００・・・空調システム
１・・・空気調和機
２・・・室内機
２０・・・制御装置
２１・・・センサ情報取得部
２２・・・制御部
２３・・・記憶部
２４・・・通信部
２０１・・・温度センサ
２０２・・・湿度センサ
３・・・室外機
４・・・リモコン
４１・・・入力部
４２・・・入力受付部
４３・・・制御部
４４・・・通信部
４１ａ・・・起動停止ボタン
４１ｂ・・・上昇ボタン
４１ｃ・・・低下ボタン
５・・・加湿器
５０・・・制御装置
５１・・・制御部
５２・・・通信部
９００・・・コンピュータ
９０１・・・ＣＰＵ、
９０２・・・主記憶装置、
９０３・・・補助記憶装置、
９０４・・・入出力インタフェース
９０５・・・通信インタフェース
【図１】
2020134022.tif 000003
【図２】
2020134022.tif 000004
【図３】
2020134022.tif 000005
【図４】
2020134022.tif 000006
【図５】
2020134022.tif 000007